(57)【要約】【課題】本発明は、コストアップや筐体の大型化を伴うことなく、撮像装置内のいくつかのコンテンツが外部の記録メディアにバックアップコピーされた場合でも、装置に記録されているコンテンツを容易に確認することができる撮像装置を提供する。【解決手段】ビデオカメラ１００から出力され、光ディスクにバックアップコピーされたコンテンツの識別画像を生成し、印刷環境に応じて識別画像を印刷出力する。そして、印刷出力されたコンテンツの識別画像を読み取り、当該識別画像に基づいて、記録媒体１０６内のコンテンツの存在を判別する。【選択図】図４
2009147426.tif 000002
【特許請求の範囲】
【請求項１】
コンテンツを記録又は再生する記録再生手段と、前記コンテンツを表示する表示手段とを備える撮像装置であって、
複数のコンテンツから任意のコンテンツを選択させる選択手段と、
前記選択手段で選択されたコンテンツを外部に出力する出力手段と、
前記出力手段で出力されたコンテンツの識別画像を生成する識別画像生成手段と、
前記識別画像を出力する識別画像出力手段と、
前記識別画像を読み取る識別画像読取手段と、
前記識別画像読取手段で読み取られた識別画像に基づいて、撮像装置内のコンテンツの存在を判別する判別手段とを備えることを特徴とする撮像装置。
【請求項２】
コンテンツを記録又は再生する記録再生手段と、前記コンテンツを表示する表示手段とを備える撮像装置であって、
複数のコンテンツから任意のコンテンツを選択させる選択手段と、
前記選択手段で選択されたコンテンツを外部に出力する出力手段と、
ユニークな識別番号を生成する識別番号生成手段と、
前記識別番号生成手段で生成された識別番号と前記出力手段で出力されたコンテンツのコンテンツ番号とを関連付けた情報を格納する情報格納手段と、
前記識別番号生成手段で生成された識別番号を識別画像に変換する識別画像変換手段と、
前記識別画像を出力する識別画像出力手段と、
前記識別画像を読み取る識別画像読取手段と、
前記識別画像読取手段で読み取られた識別画像と前記情報格納手段で格納された情報に基づいて、撮像装置内のコンテンツの存在を判別する判別手段とを備えることを特徴とする撮像装置。
【請求項３】
前記表示手段は、前記判別手段による判別の結果に応じて、前記撮像装置内に存在するコンテンツのサムネイル画像を表示することを特徴とする請求項１または２記載の撮像装置。
【請求項４】
前記表示手段は、前記判別手段による判別の結果、前記撮像装置内にコンテンツが存在しない場合は、当該コンテンツが存在しないことを示す画像を表示することを特徴とする請求項３記載の撮像装置。
【請求項５】
前記撮像装置内にコンテンツが存在しないことを示す画像は？マークであることを特徴とする請求項４記載の撮像装置。
【請求項６】
前記表示手段は、前記判別手段による判別の結果に応じて、前記撮像装置内のコンテンツの有無をテキスト表示することを特徴とする請求項１または２記載の撮像装置。
【請求項７】
前記識別画像には、バーコードが含まれることを特徴とする請求項１乃至６のいずれか１項に記載の撮像装置。
【請求項８】
前記識別画像生成手段は、前記出力手段で出力されたコンテンツの記録開始日時を識別画像に変換し、
前記判別手段は、前記識別画像から特定された記録開始日時と前記コンテンツの記録開始日時とが一致するか否かにより、前記撮像装置内のコンテンツの存在を判別することを特徴とする請求項１記載の撮像装置。
【請求項９】
前記判別手段は、前記識別画像から特定された識別番号と前記情報格納手段で格納された情報とを比較し、識別番号が一致するコンテンツの消去フラグにより、前記撮像装置内のコンテンツの存在を判別することを特徴とする請求項２記載の撮像装置。
【請求項１０】
コンテンツを記録又は再生する記録再生手段と、前記コンテンツを表示する表示手段とを備える撮像装置の制御方法であって、
複数のコンテンツから任意のコンテンツを選択させる選択工程と、
前記選択工程で選択されたコンテンツを外部に出力する出力工程と、
前記出力工程で出力されたコンテンツの識別画像を生成する識別画像生成工程と、
前記識別画像を出力する識別画像出力工程と、
前記識別画像を読み取る識別画像読取工程と、
前記識別画像読取工程で読み取られた識別画像に基づいて、撮像装置内のコンテンツの存在を判別する判別工程とを備えることを特徴とする撮像装置の制御方法。
【請求項１１】
コンテンツを記録又は再生する記録再生手段と、前記コンテンツを表示する表示手段とを備える撮像装置の制御方法であって、
複数のコンテンツから任意のコンテンツを選択させる選択工程と、
前記選択工程で選択されたコンテンツを外部に出力する出力工程と、
ユニークな識別番号を生成する識別番号生成工程と、
前記識別番号生成工程で生成された識別番号と前記出力工程で出力されたコンテンツのコンテンツ番号とを関連付けた情報を格納する情報格納工程と、
前記識別番号生成工程で生成された識別番号を識別画像に変換する識別画像変換工程と、
前記識別画像を出力する識別画像出力工程と、
前記識別画像を読み取る識別画像読取工程と、
前記識別画像読取工程で読み取られた識別画像と前記情報格納工程で格納された情報に基づいて、撮像装置内のコンテンツの存在を判別する判別工程とを備えることを特徴とする撮像装置の制御方法。
【請求項１２】
前記判別工程における判別の結果に応じて、前記表示手段が前記撮像装置内に存在するコンテンツのサムネイル画像を表示することを特徴とする請求項１０または１１記載の撮像装置の制御方法。
【請求項１３】
前記判別工程における判別の結果、前記撮像装置内にコンテンツが存在しない場合は、前記表示手段が当該コンテンツが存在しないことを示す画像を表示することを特徴とする請求項１２記載の撮像装置の制御方法。
【請求項１４】
前記撮像装置内にコンテンツが存在しないことを示す画像は？マークであることを特徴とする請求項１３記載の撮像装置の制御方法。
【請求項１５】
前記判別工程における判別の結果に応じて、前記表示手段が前記撮像装置内のコンテンツの有無をテキスト表示することを特徴とする請求項１０または１１記載の撮像装置の制御方法。
【請求項１６】
前記識別画像には、バーコードが含まれることを特徴とする請求項１０乃至１５のいずれか１項に記載の撮像装置の制御方法。
【請求項１７】
前記識別画像生成工程は、前記出力工程で出力されたコンテンツの記録開始日時を識別画像に変換し、
前記判別工程は、前記識別画像から特定された記録開始日時と前記コンテンツの記録開始日時とが一致するか否かにより、前記撮像装置内のコンテンツの存在を判別することを特徴とする請求項１０記載の撮像装置の制御方法。
【請求項１８】
前記判別工程は、前記識別画像から特定された識別番号と前記情報格納工程で格納された情報とを比較し、識別番号が一致するコンテンツの消去フラグにより、前記撮像装置内のコンテンツの存在を判別することを特徴とする請求項１１記載の撮像装置の制御方法。
【請求項１９】
請求項１０乃至１８のいずれか１項に記載の制御方法をコンピュータに実行させるためのコンピュータに読み取り可能なプログラム。
【発明の詳細な説明】
【技術分野】
【０００１】
本発明は、撮像装置及びその制御方法、並びにプログラムに関し、特に、装置内に記録されているコンテンツを容易に確認することができる撮像装置及びその制御方法、並びにプログラムに関する。
【背景技術】
【０００２】
近年、ハードディスク等の大容量の記録媒体を備え、長時間の映像記録が可能なハードディスクカムコーダ（ハードディスクビデオカメラ）が普及している。ハードディスクには大量のコンテンツを記録することができる。そのため、ハードディスクに大量のコンテンツを記録しておき、後でパーソナルコンピュータや専用のＤＶＤドライブ等の外部機器に接続し、必要なコンテンツを外部機器内の光ディスク等にバックアップコピーする使われ方が一般的になっている。
【０００３】
ところが、ハードディスクカムコーダ内のハードディスクに記録されたコンテンツを光ディスクにバックアップコピーした場合、どのような内容のコンテンツが光ディスクに記録されているかを確認することは容易ではない。特に、コンテンツがバックアップコピーされた光ディスクが複数枚存在する場合には、再生装置への光ディスクの挿入と取り出しを繰り返さなければならないため、かなりの労力と時間を要する作業となってしまう。
【０００４】
また、光ディスクにバックアップコピーされたコンテンツがハードディスクに残されているかを確認することも容易ではない。
【０００５】
そこで、上記問題を解決するために、例えば、特許文献１が提案されている。特許文献１のデータ記録再生装置では、光ディスク内のコンテンツの特定を容易にすべく、光ディスクのローディング時にＢＣＡ（Burst Cutting Area：バーストカッティングエリア）バーコードから光ディスクの識別情報を読み取る。そして、この識別情報と光ディスク内のコンテンツを特定するタイトル情報との関連付けを行って保持し、その後、光ディスク上に印刷されたレーベルバーコードから読み取った情報に基づいて光ディスクを特定して、コンテンツに係る情報をモニタに表示している。
【特許文献１】特開２００６−２２１７２５号公報
【発明の開示】
【発明が解決しようとする課題】
【０００６】
しかしながら、上記特許文献１記載のデータ記録再生装置では、光ディスク内のＢＣＡバーコードを読み取る装置が必要となるため、その読み取り装置の追加によるハードディスクカムコーダのコストアップや筐体の大型化が課題となっている。
【０００７】
本発明は、コストアップや筐体の大型化を伴うことなく、撮像装置内のいくつかのコンテンツが外部の記録メディアにバックアップコピーされた場合でも、装置に記録されているコンテンツを容易に確認することができる撮像装置を提供することを目的とする。また、撮像装置の制御方法及びプログラムを提供することを目的とする。
【課題を解決するための手段】
【０００８】
上記目的を達成するために、請求項１記載の撮像装置は、コンテンツを記録又は再生する記録再生手段と、前記コンテンツを表示する表示手段とを備える撮像装置であって、複数のコンテンツから任意のコンテンツを選択させる選択手段と、前記選択手段で選択されたコンテンツを外部に出力する出力手段と、前記出力手段で出力されたコンテンツの識別画像を生成する識別画像生成手段と、前記識別画像を出力する識別画像出力手段と、前記識別画像を読み取る識別画像読取手段と、前記識別画像読取手段で読み取られた識別画像に基づいて、前記撮像装置内のコンテンツの存在を判別する判別手段とを備えることを特徴とする。
【０００９】
上記目的を達成するために、請求項２記載の撮像装置は、コンテンツを記録又は再生する記録再生手段と、前記コンテンツを表示する表示手段とを備える撮像装置であって、複数のコンテンツから任意のコンテンツを選択させる選択手段と、前記選択手段で選択されたコンテンツを外部に出力する出力手段と、ユニークな識別番号を生成する識別番号生成手段と、前記識別番号生成手段で生成された識別番号と前記出力手段で出力されたコンテンツのコンテンツ番号とを関連付けた情報を格納する情報格納手段と、前記識別番号生成手段で生成された識別番号を識別画像に変換する識別画像変換手段と、前記識別画像を出力する識別画像出力手段と、前記識別画像を読み取る識別画像読取手段と、前記識別画像読取手段で読み取られた識別画像と前記情報格納手段で格納された情報に基づいて、前記撮像装置内のコンテンツの存在を判別する判別手段とを備えることを特徴とする。
【００１０】
上記目的を達成するために、請求項１０記載の撮像装置の制御方法は、コンテンツを記録又は再生する記録再生手段と、前記コンテンツを表示する表示手段とを備える撮像装置の制御方法であって、複数のコンテンツから任意のコンテンツを選択させる選択工程と、前記選択工程で選択されたコンテンツを外部に出力する出力工程と、前記出力工程で出力されたコンテンツの識別画像を生成する識別画像生成工程と、前記識別画像を出力する識別画像出力工程と、前記識別画像を読み取る識別画像読取工程と、前記識別画像読取工程で読み取られた識別画像に基づいて、前記撮像装置内のコンテンツの存在を判別する判別工程とを備えることを特徴とする。
【００１１】
上記目的を達成するために、請求項１１記載の撮像装置の制御方法は、コンテンツを記録又は再生する記録再生手段と、前記コンテンツを表示する表示手段とを備える撮像装置の制御方法であって、複数のコンテンツから任意のコンテンツを選択させる選択工程と、前記選択工程で選択されたコンテンツを外部に出力する出力工程と、ユニークな識別番号を生成する識別番号生成工程と、前記識別番号生成工程で生成された識別番号と前記出力工程で出力されたコンテンツのコンテンツ番号とを関連付けた情報を格納する情報格納工程と、前記識別番号生成工程で生成された識別番号を識別画像に変換する識別画像変換工程と、前記識別画像を出力する識別画像出力工程と、前記識別画像を読み取る識別画像読取工程と、前記識別画像読取工程で読み取られた識別画像と前記情報格納工程で格納された情報に基づいて、前記撮像装置内のコンテンツの存在を判別する判別工程とを備えることを特徴とする。
【発明の効果】
【００１２】
本発明によれば、複数のコンテンツから任意のコンテンツを選択させ、選択されたコンテンツを外部に出力し、出力されたコンテンツの識別画像を生成して出力する。一方、識別画像を読み取り、読み取った識別画像に基づいて、撮像装置内のコンテンツの存在を判別する。これにより、コストアップや筐体の大型化を伴うことなく、撮像装置内のいくつかのコンテンツが外部の記録メディアにバックアップコピーされた場合でも、装置に記録されているコンテンツを容易に確認することができ、ユーザの利便性を向上させることができる。
【００１３】
本発明によれば、複数のコンテンツから任意のコンテンツを選択させ、選択されたコンテンツを外部に出力し、ユニークな識別番号を生成する。そして、生成された識別番号と出力されたコンテンツのコンテンツ番号とを関連付けた情報を格納し、生成された識別番号を識別画像に変換して出力する。一方、識別画像を読み取り、読み取った識別画像と格納された情報に基づいて、撮像装置内のコンテンツの存在を判別する。これにより、請求項１及び１０記載の発明による効果に加えて、識別画像に格納する情報量をより少なくすることができる。
【発明を実施するための最良の形態】
【００１４】
以下、本発明の実施の形態を図面を参照して詳細に説明する。
【００１５】
［第１の実施形態］
図１は、本発明の第１の実施形態に係る撮像装置が適用されたハードディスクビデオカメラの構成を示すブロック図である。
【００１６】
本発明の実施形態に係る撮像装置は、ハードディスクを記録媒体とした記録再生装置であって、ハードディスクビデオカメラ（以下、単に「ビデオカメラ」という。）１００から成る。ビデオカメラ１００は、レンズユニット１０１と、カメラ信号処理部１０２と、ＭＰＥＧコーデック部１０３と、メモリ１０４と、ディスクアクセス部１０５と、記録媒体１０６と、外部インターフェース１０７と、ＣＰＵ１０８とを備える。また、ビデオカメラ１００は、識別画像読み取り部１０９と、識別画像解析部１１０と、コンテンツ判別部１１１と、表示部１１２と、識別画像生成部１１３と、情報格納部１１５と、ＣＰＵバス１１６と、操作部１１７とを備える。
【００１７】
レンズユニット１０１は、被写体からの光を電気信号に変換するレンズ、ＣＣＤ（Charge Coupled Device）などの撮像素子を含むレンズユニットである。カメラ信号処理部１０２は、レンズユニット１０１からの信号を画像データへ変換し、入力動画像信号に対してホワイトバランスやガンマ補正等の所定の信号処理を行い、動画像データまたは静止画像データとしてメモリ１０４に一時記録する。
【００１８】
ＭＰＥＧコーデック部１０３は、メモリ１０４に一時記録された動画像データをＭＰＥＧ２に符号化またはＭＰＥＧ２データから動画像データを復号する機能を有する。メモリ１０４は、ＲＡＭ等から成り、ＭＰＥＧ２データバッファ、音声データバッファ、及びワークメモリ等に使用される。
【００１９】
ディスクアクセス部１０５は、記録媒体１０６に対するデータの書き込みや読み出しを行う。記録媒体１０６は、ハードディスク等の記録媒体である。外部インターフェース（Ｉ／Ｆ）１０７は、記録媒体１０６に記録された動画像データまたは識別画像生成部１１３で生成された識別画像を外部に出力し、例えばＵＳＢ（Universal Serial Bus）が用いられる。
【００２０】
ＣＰＵ１０８は、ＣＰＵバス１１６に接続された各部を制御する。識別画像読み取り部１０９（識別画像読取手段）は、カメラ信号処理部１０２で信号処理された識別画像を読み取る。識別画像解析部１１０は、識別画像読み取り部１０９にて読み取った画像を解析する。
【００２１】
コンテンツ判別部１１１は、識別画像解析部１１０による解析結果に基づいて記録媒体１０６に記録されているコンテンツを特定する。コンテンツは、動画像データや静止画像データである。表示部１１２は、復号された映像データの表示デバイスとして利用されるが、撮影時のビューファインダーとしての機能も有する。
【００２２】
識別画像生成部１１３は、操作部１１７によってユーザが選択したコンテンツを識別するための識別画像を生成する。情報格納部１１５（情報格納手段）は、図８に示す識別番号生成部１１４（識別番号生成手段）で生成された識別番号と操作部１１７（選択手段）で選択されたコンテンツを関連付けて記録媒体１０６に格納する。操作部１１７は、撮像装置全体の操作を担う操作部であり、ユーザからの操作指示を受け付ける。
【００２３】
次に、第１の実施の形態における識別画像生成時の動作について図２を用いて説明する。
【００２４】
図２は、図１のビデオカメラ１００における識別画像生成時の動作処理を示すフローチャートである。本処理は、ＣＰＵ１０８が制御プログラムをメモリから読み出して実行することにより実現される処理である。
【００２５】
ビデオカメラ１００は、外部インターフェース１０７にパーソナルコンピュータやＤＶＤドライブ等の外部機器を接続し、外部機器内の光ディスクに、記録媒体１０６に記録されたコンテンツをバックアップコピーすることが可能である。
【００２６】
まず、ＣＰＵ１０８は、操作部１１７を介してユーザにより選択された記録媒体１０６内のコンテンツを、外部インターフェース１０７を経由して外部機器に出力する（ステップＳ２０１）。外部機器では、ビデオカメラ１００から出力されたコンテンツが光ディスクに記録される。なお、操作部１１７を介してユーザにより選択され、且つ光ディスクに記録されるコンテンツは１つに限らず、複数でもよい。
【００２７】
次に、ＣＰＵ１０８は、識別画像生成部１１３を制御して、ステップＳ２０１で出力したコンテンツの識別画像を生成する（ステップＳ２０２）。ここでは、ＣＰＵ１０８は、ディスクアクセス部１０５に指令を出して、記録媒体１０６から図３（ａ）に示すようなコンテンツの管理情報３０１を読み出す。コンテンツ管理情報３０１には、記録媒体１０６に記録されている全コンテンツの記録開始日時（記録開始日、記録開始時間）が含まれ、コンテンツの記録開始日時が読み出される。そして、読み出された記録開始日時のうち、出力されたコンテンツの記録開始日時が識別画像生成部１１３により１つの識別画像に変換され、メモリ１０４に保持される。識別画像としては、図３（ｂ）に示すように、格納できる情報量が多い二次元バーコードのＱＲコード３０２が使用される。
【００２８】
例えば、コンテンツ番号１，３，５，９，１０，１１のコンテンツを出力した場合、これらのコンテンツ番号に対応する記録開始日時がコンテンツの管理情報３０１からそれぞれ取得され、識別画像としてＱＲコード３０２に変換される。なお、識別画像は、ＱＲコードには限定されず、ＪＡＮ、標準ＩＴＦ、ＣＯＤＥ−１２８、ＣＯＤＥ３９、及びＮＷ−７等の一次元バーコードやＰＤＦ４１７、ＤａｔａＭａｔｒｉｘ、ＭａｘｉＣｏｄｅ、ベリコード、ＣＯＤＥ４９等の二次元バーコードでもよい。
【００２９】
図２に戻り、ＣＰＵ１０８は、ユーザに識別画像を印刷するかを確認するメッセージを表示部１１２に表示させ、操作部１１７からのユーザの指示を待つ（ステップＳ２０３）。その結果、ユーザの指示により識別画像を印刷しない場合は本処理を終了する。一方、ユーザが識別画像の印刷を指示した場合、ＣＰＵ１０８は、印刷可能な環境になったか否か、例えば、外部インターフェース１０７にプリンタ等の印刷装置が接続されたか否かの判断を行う（ステップＳ２０４）。この結果、印刷可能な環境になった場合、ＣＰＵ１０８は、外部インターフェース１０７を用いて識別画像を出力し（ステップＳ２０８）、接続先の印刷装置で識別画像の印刷を行う（識別画像出力手段）。識別画像が印刷された印刷物は、例えば、シールやステッカー等から成り、コンテンツがバックアップコピーされた光ディスク等に貼付される。
【００３０】
次に、第１の実施の形態における識別画像読み取り時の動作について図４を用いて説明する。本実施の形態では、ビデオカメラ１００で上述した識別画像を読み取る際の動作について説明する。
【００３１】
図４は、図１のビデオカメラ１００における識別画像読み取り時の動作処理を示すフローチャートである。本処理は、ＣＰＵ１０８が制御プログラムをメモリから読み出して実行することにより実現される処理である。
【００３２】
本処理の前に、ビデオカメラ１００により、識別画像が印刷された印刷物から識別画像（例えば、ＱＲコード）が撮影されているものとする。ＣＰＵ１０８は、識別画像読み取り部１０９を制御し、カメラ信号処理部１０２で信号処理された画像を識別画像として認識した後、その識別画像のデータをメモリ１０４に保持する（ステップＳ４０１）。
【００３３】
次に、ＣＰＵ１０８は、識別画像解析部１１０を制御して、メモリ１０４に保持された識別画像の解析を行い、解析結果として図５に示すような識別画像情報５０１を得る（ステップＳ４０２）。識別画像情報５０１は、記録開始日時（記録開始日、記録開始時間）で構成される。そして、識別画像情報から記録開始日時を特定し、特定した記録開始日時のデータをメモリ１０４に保持する（ステップＳ４０２）。特定された記録開始日時のデータは、ＣＰＵバス１１６を経由してＣＰＵ１０８に供給される。
【００３４】
次に、ＣＰＵ１０８は、ディスクアクセス部１０５に指令を出して、記録媒体１０６からコンテンツ管理情報を読み出す（ステップＳ４０３）。ここで読み出されるコンテンツ管理情報は、コンテンツ管理情報３０１と同じものである。コンテンツ管理情報の一例を図６（ａ）、図６（ｂ）に示す。
【００３５】
図４に戻り、ステップＳ４０４では、ＣＰＵ１０８は、コンテンツ判別部１１１を制御して、ステップＳ４０２で特定した記録開始日時と、ステップＳ４０３で読み出したコンテンツの管理情報とを比較する。そして、記録開始日時が一致するコンテンツが記録媒体１０６に記録されているか否かを判別する（ステップＳ４０４）。
【００３６】
ステップＳ４０４において、記録開始日時が一致するコンテンツが記録媒体１０６に記録されている場合には、ＣＰＵ１０８は、一致するコンテンツのサムネイル画像を記録媒体１０６から読み出し、表示部１１２に表示する（ステップＳ４０５）。表示部１１２に表示されるサムネイル画像の一例を図７（ａ）、図７（ｂ）に示す。
【００３７】
例えば、図５の識別画像情報５０１と、図６（ａ）に示すコンテンツ管理情報６０１とを比較した場合、図７（ａ）に示すように、記録媒体１０６に記録されているコンテンツのサムネイル画像７０１−１〜７０１−６が表示される。
【００３８】
一方、ステップＳ４０４において、記録開始日時が一致するコンテンツが記録媒体１０６に記録されていなかった場合はステップＳ４０６へ進む。そして、ＣＰＵ１０８は、図７（ｂ）に示すように、コンテンツが存在しない旨をユーザに伝えるアイコン（又はマーク）を表示部１１２に表示する（ステップＳ４０６）。記録開始日時が一致するコンテンツが記録媒体１０６に記録されていなかった場合には、既にユーザが該当するコンテンツを記録媒体１０６から消去していた場合がある。
【００３９】
例えば、図５の識別画像情報５０１と、図６（ｂ）に示すコンテンツ管理情報６０２とを比較した場合、図７（ｂ）に示すように、消去されたコンテンツのサムネイル画像を表示すべき位置には、例えば？マーク７０３の画像が表示される。一方、記録媒体１０６に記録されているコンテンツ（コンテンツ番号５，９，１１）のサムネイル画像７０２−１〜７０２−３が表示される。
【００４０】
ステップＳ４０７では、ＣＰＵ１０８は、表示部１１２に表示したサムネイル画像の枚数が１画面分に達したか否かを判別する。例えば、本実施形態では、１画面分として６枚が設定されているものとする。ステップＳ４０７の判別の結果、表示部１１２に表示したサムネイル画像の枚数が１画面分に達していない場合、ステップＳ４０４に戻り、ステップＳ４０４以降の処理を行う。一方、表示部１１２に表示したサムネイル画像の枚数が１画面分に達した場合は本処理を終了する。
【００４１】
上記第１の実施形態によれば、ビデオカメラ１００から出力され、光ディスクにバックアップコピーされたコンテンツの識別画像を生成し、印刷環境に応じて識別画像を印刷出力する。そして、印刷出力されたコンテンツの識別画像を読み取り、当該識別画像に基づいて、記録媒体１０６内のコンテンツの存在を判別する。これにより、コストアップや筐体の大型化を伴うことなく、撮像装置内のいくつかのコンテンツが外部の記録メディアにバックアップコピーされた場合でも、装置に記録されているコンテンツを容易に確認することができ、ユーザの利便性を向上させることができる。
【００４２】
上記第１の実施形態では、識別画像と記録媒体１０６の管理情報は記録開始日時としたが、例えば、画像データそのものや、画像データの一部など、識別画像から記録媒体１０６のコンテンツの有無を判別できる情報であればこれに限定されない。
【００４３】
上記第１の実施の形態では、ステップＳ４０６において、記録媒体１０６から消去されたコンテンツに対して？マークを表示しているが、消去されたコンテンツのコンテンツ番号と共に？マークを表示するようにしてもよい。また、ステップＳ４０７において、表示部１１２に表示したサムネイル画像の枚数が１画面分に達した場合は本処理を終了するとしているが、例えば、表示すべきサムネイル画像が１画面分以上ある場合は、複数の画面を表示するようにしてもよい。
【００４４】
［第２の実施形態］
次に、本発明の第２の実施形態に係る撮像装置について説明する。
【００４５】
上記第１の実施形態に係る撮像装置では、外部機器内の光ディスクにバックアップコピーしたコンテンツの記録開始日時から識別画像を生成して出力する。一方、本第２の実施形態に係る撮像装置では、バックアップ先の光ディスクにユニークな識別番号を割り振り、識別番号から識別画像を生成して出力すると共に、識別番号とパックアップしたコンテンツのコンテンツ番号とを関連付けて記録媒体１０６に格納する。
【００４６】
図８は、本発明の第２の実施形態に係る撮像装置が適用されたハードディスクビデオカメラの構成を示すブロック図である。
【００４７】
図８において、ビデオカメラ２００は、図１のビデオカメラ１００の構成部分に加えて、バックアップ先の光ディスクに割り振るユニークな識別番号を生成する識別番号生成部１１４を備える。識別番号生成部１１４以外の各構成部分は、上記第１の実施形態における図１のビデオカメラ１００と同一である。同一の部分には同一の符号を付して、それらの説明を省略する。
【００４８】
次に、第２の実施形態における識別画像生成時の動作について図９を用いて説明する。
【００４９】
図９は、図８のビデオカメラ２００における識別画像生成時の動作処理を示すフローチャートである。本処理は、ＣＰＵ１０８が制御プログラムをメモリから読み出して実行することにより実現される処理である。
【００５０】
ビデオカメラ２００は、外部インターフェース１０７にパーソナルコンピュータやＤＶＤドライブ等の外部機器に接続し、外部機器内の光ディスクに、記録媒体１０６に記録されたコンテンツをバックアップコピーすることが可能である。
【００５１】
まず、ＣＰＵ１０８は、操作部１１７を介してユーザにより選択された記録媒体１０６内のコンテンツを、外部インターフェース１０７を経由して外部機器に出力する（ステップＳ７０１）。外部機器では、ビデオカメラ２００から出力されたコンテンツが光ディスクに記録される。なお、操作部１１７を介してユーザにより選択され、且つ光ディスクに記録されるコンテンツは１つに限らず、複数でもよい。
【００５２】
次に、ＣＰＵ１０８は、識別番号生成部１１４を制御して、コンテンツが記録された光ディスクに割り振るユニークな識別番号を生成する（ステップＳ７０２）。次に、ＣＰＵ１０８は、情報格納部１１５を制御して、ステップＳ７０１で出力したコンテンツの管理番号（コンテンツ番号）にステップＳ７０２で生成した識別番号を関連付けたテーブル（情報）を記録媒体１０６に格納する（ステップＳ７０３）。コンテンツ番号と識別番号との関係を示すテーブルの一例を図１０に示す。
【００５３】
テーブル８００は、記録媒体１０６に記録されている全コンテンツのコンテンツ番号８０１と、記録媒体１０６内のコンテンツの消去有無を示す消去フラグ８０２と、コンテンツのバックアップ先である光ディスクに割り振られた識別番号８０３とで構成される。本実施の形態では、テーブル８００が、識別番号（ディスク番号）１５０２の光ディスクにコンテンツ番号１，３，４，６，７，８，１０のコンテンツがバックアップコピーされたことを示す。
【００５４】
消去フラグには、該当するコンテンツが記録媒体１０６から消去されていることを示す「１」、または未消去である「０」が登録される。本実施の形態では、テーブル８００が、コンテンツ番号７，１０のコンテンツが記録媒体１０６から消去済みであることを示す。
【００５５】
図９に戻り、ＣＰＵ１０８は、識別画像生成部１１３を制御し、識別番号を識別画像に変換する（ステップＳ７０４）（識別画像変換手段）。識別画像としては、ＪＡＮ、標準ＩＴＦ、ＣＯＤＥ−１２８、ＣＯＤＥ３９、ＮＷ−７等の一次元バーコードが使用される。なお、識別画像は、一次元バーコードには限定されず、ＱＲコード、ＰＤＦ４１７、ＤａｔａＭａｔｒｉｘ、ＭａｘｉＣｏｄｅ、ベリコード、ＣＯＤＥ４９等の二次元バーコードでもよい。
【００５６】
次に、ＣＰＵ１０８は、ユーザに識別画像を印刷するかを確認するメッセージを表示部１１２に表示させ、操作部１１７からのユーザの指示を待つ（ステップＳ７０５）。その結果、ユーザの指示により識別画像を印刷しない場合は本処理を終了する。一方、ユーザが識別画像の印刷を指示した場合、ＣＰＵ１０８は、印刷可能な環境になったか否か、例えば、外部インターフェース１０７にプリンタ等の印刷装置が接続されたか否かの判断を行う（ステップＳ７０６）。この結果、印刷可能な環境になった場合、ＣＰＵ１０８は、外部インターフェース１０７を用いて識別画像を出力し（ステップＳ７０７）、接続先の印刷装置で識別画像の印刷を行う（識別画像出力手段）。識別画像が印刷された印刷物は、例えば、シールやステッカー等から成り、コンテンツがバックアップコピーされた光ディスク等に貼付される。
【００５７】
次に、第２の実施形態における識別画像読み取り時の動作について図１１を用いて説明する。本実施の形態では、ビデオカメラ２００で上述した識別画像を読み取る際の動作について説明する。
【００５８】
図１１は、図８のビデオカメラ２００における識別画像読み取り時の動作処理を示すフローチャートである。本処理は、ＣＰＵ１０８が制御プログラムをメモリから読み出して実行することにより実現される処理である。
【００５９】
本処理の前に、ビデオカメラ１００により、識別画像が印刷された印刷物から識別画像（例えば、ＱＲコード）が撮影されているものとする。ＣＰＵ１０８は、識別画像読み取り部１０９を制御し、カメラ信号処理部１０２で信号処理された画像を識別画像として認識した後、その識別画像のデータをメモリ１０４に保持する（ステップＳ９０１）。
【００６０】
次に、ＣＰＵ１０８は、識別画像解析部１１０を制御して、メモリ１０４に保持された識別画像の解析を行う（ステップＳ９０２）。そして、識別画像を解析することにより、コンテンツのバックアップ先である光ディスクに割り振られた識別番号を特定し、特定した識別番号をメモリ１０４に保持する（ステップＳ９０２）。例えば、特定された識別番号が１５０２であったとすると、この識別番号１５０２がＣＰＵバス１１６を経由してＣＰＵ１０８に供給される。
【００６１】
次に、ＣＰＵ１０８は、ディスクアクセス部１０５に指令を出して、記録媒体１０６から図１２に示すようなテーブルを読み出す（ステップＳ９０３）。図１２のテーブル１００１は、図１０に示すテーブル８００と同様に、光ディスクにバックアップコピーされたコンテンツのコンテンツ番号と該光ディスクに割り振られた識別番号との関係を示すテーブルである。テーブル１００１では、コンテンツ番号１０は消去フラグが１になっていることから、記録媒体１０６から消去されたコンテンツである。
【００６２】
図１１に戻り、ステップＳ９０２において、ＣＰＵ１０８は、コンテンツ判別部１１１を制御して、ステップＳ９０２で特定された識別番号と、ステップＳ９０３で読み出したテーブル１００１とを比較する。そして、識別番号が一致するコンテンツが記録媒体１０６に記録されているか否かを判別する（ステップＳ９０４）。識別番号が一致するコンテンツが記録媒体１０６に記録されているか否かの判断は、識別番号に対応するコンテンツの消去フラグが１か０かで行われる。
【００６３】
ステップＳ９０４において、識別番号が一致するコンテンツが記録媒体１０６に記録されている場合には、ＣＰＵ１０８は、一致するコンテンツのサムネイル画像を記録媒体１０６から読み出し、表示部１１２に表示する（ステップＳ９０５）。表示部１１２に表示されたサムネイル画像の一例を図１３に示す。
【００６４】
識別番号が一致するコンテンツが記録媒体１０６に記録されている場合は、図１３に示すように、記録媒体１０６に記録されているコンテンツ（コンテンツ番号１，３，４，６，８）のサムネイル画像１２０１−１〜１２０１−５が表示部１１２に表示される。
【００６５】
ステップＳ９０４において、識別番号が一致するコンテンツが記録されていなかった場合、ＣＰＵ１０８は、図１３に示すように、コンテンツが存在しない旨を伝えるアイコン（又はマーク）を表示部１１２に表示する（ステップＳ９０６）。識別番号が一致するコンテンツが記録媒体１０６に記録されていなかった場合には、既にユーザが該当するコンテンツを記録媒体１０６から消去していた場合がある。識別番号と、テーブル１００１とを比較した結果、識別番号に対応するコンテンツの消去フラグが１であった場合、図１３に示すように、消去されたコンテンツ（コンテンツ番号７）のサムネイル画像を表示すべき位置には？マーク１２０２の画像が表示される。
【００６６】
ステップＳ９０７では、ＣＰＵ１０８は、表示部１１２に表示したサムネイル画像の枚数が１画面分に達したか否かを判別する。例えば、本実施形態では、１画面分として６枚が設定されているものとする。ステップＳ９０７の判別の結果、表示部１１２に表示したサムネイル画像の枚数が１画面分に達していない場合、ステップＳ９０４に戻り、ステップＳ９０４以降の処理を行う。一方、表示部１１２に表示したサムネイル画像の枚数が１画面分に達した場合は本処理を終了する。
【００６７】
上記第２の実施形態によれば、コンテンツをバックアップコピーするための光ディスクに割り振るユニークな識別番号を生成し、ビデオカメラ１００から出力したコンテンツのコンテンツ番号に識別番号を関連付けたテーブルを記録媒体１０６に格納する。そして、識別番号を識別画像に変換すると共に、印刷環境に応じて識別画像を印刷出力する。そして、印刷出力されたコンテンツの識別画像を読み取り、当該識別画像に基づいて、記録媒体１０６内のコンテンツの存在を判別する。これにより、上記第１の実施形態による効果に加えて、識別画像に格納する情報量を第１の実施形態における識別画像よりも少なくすることができる。
【００６８】
上記第２の実施の形態では、ステップＳ９０６において、記録媒体１０６から消去されたコンテンツに対して？マークを表示しているが、消去されたコンテンツのコンテンツ番号と共に？マークを表示するようにしてもよい。また、ステップＳ９０７において、表示部１１２に表示したサムネイル画像の枚数が１画面分に達した場合は本処理を終了するとしているが、例えば、表示すべきサムネイル画像が１画面分以上ある場合は、複数の画面を表示するようにしてもよい。
【００６９】
上記第１及び第２の実施の形態では、識別画像で示すコンテンツが記録媒体１０６に存在しない場合、？マークをサムネイル画像上に表示するが、ユーザがコンテンツの有無を判断できる表示内容であればこれに限定されない。
【００７０】
また、上記第１及び第２の実施の形態では、読み取ったコンテンツの識別画像に基づいて、記録媒体１０６内に存在するコンテンツのサムネイル画像を表示している。しかしながら、ユーザがコンテンツの有無を判断できる表示内容であればこれに限定されず、記録媒体１０６内のコンテンツの有無をテキスト表示しても構わない。
【００７１】
また、上記第１及び第２の実施の形態では、撮像装置としてビデオカメラを一例として説明した。しかしながら、これに限定されず、撮影機能を有するものであれば、デジタルカメラ、携帯電話やＰＤＡ（Personal Digital Assistant）、パーソナルコンピュータであっても本発明を適用することができる。
【００７２】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００７３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００７４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７６】
【図１】本発明の第１の実施形態に係る撮像装置が適用されたハードディスクビデオカメラの構成を示すブロック図である。
【図２】図１のビデオカメラにおける識別画像生成時の動作処理を示すフローチャートである。
【図３】（ａ）は記録媒体から読み出されるコンテンツ管理情報の一例を示す図であり、（ｂ）は生成された識別画像の一例を示す図である。
【図４】図１のビデオカメラにおける識別画像読み取り時の動作処理を示すフローチャートである。
【図５】識別画像を解析して得られた識別画像情報に一例を示す図である。
【図６】記録媒体に格納されているコンテンツ管理情報の一例を示す図であり、（ａ）は記録媒体から任意のコンテンツが消去される前、（ｂ）は任意のコンテンツが消去された後を示す。
【図７】表示部に表示されるサムネイル画像の一例を示す図であり、（ａ）は記録媒体から任意のコンテンツが消去される前、（ｂ）は任意のコンテンツが消去された後を示す。
【図８】本発明の第２の実施形態に係る撮像装置が適用されたハードディスクビデオカメラの構成を示すブロック図である。
【図９】図８のビデオカメラにおける識別画像生成時の動作処理を示すフローチャートである。
【図１０】コンテンツの管理番号（コンテンツ番号）と識別番号との関係を示すテーブルの一例を示す図である。
【図１１】図８のビデオカメラにおける識別画像読み取り時の動作処理を示すフローチャートである。
【図１２】コンテンツ番号と識別番号との関係を示すテーブルの他の例を示す図である。
【図１３】表示部に表示されるサムネイル画像の一例を示す図である。
【符号の説明】
【００７７】
１００，２００  撮像装置
１０１  レンズユニット
１０２  カメラ信号処理部
１０３  ＭＰＥＧコーデック部
１０４  メモリ
１０５  ディスクアクセス部
１０６  記録媒体
１０７  外部インターフェース
１０８  ＣＰＵ
１０９  識別画像読み取り部
１１０  識別画像解析部
１１１  コンテンツ判別部
１１２  表示部
１１３  識別画像生成部
１１４  識別番号生成部
１１５  情報格納部
１１６  ＣＰＵバス
１１７  操作部
【図１】
2009147426.tif 000003
【図２】
2009147426.tif 000004
【図３】
2009147426.tif 000005
【図４】
2009147426.tif 000006
【図５】
2009147426.tif 000007
【図６】
2009147426.tif 000008
【図７】
2009147426.tif 000009
【図８】
2009147426.tif 000010
【図９】
2009147426.tif 000011
【図１０】
2009147426.tif 000012
【図１１】
2009147426.tif 000013
【図１２】
2009147426.tif 000014
【図１３】
2009147426.tif 000015